(57)【要約】  広帯域キャリア（例えばＬＴＥキャリア）は、割り当てられた周波数帯の中で、チャネルラスタ間隔の整数倍（例えば１００ＫＨｚ）だけ周波数内をシフトアップ又はシフトダウンされる。これにより、キャリアの一方の側のガードバンドのサイズが低下し、他方の側のガードバンドは拡大する。狭帯域キャリア（例えばＮＢ−ＩｏＴキャリア）はその後、共有周波数グリッド間隔を用いる（例えば１００ＫＨｚ間隔で、及び１５ＫＨｚのサブキャリアを用いる）ことによるなど、送信が広帯域キャリア送信と直交するように、拡大されたガードバンド内の周波数又は近傍の周波数に配置される。狭帯域キャリアは、従って、広帯域キャリアと直行性を維持するが、スペクトルマスク内に留まりつつ、周波数グリッド間隔に近い周波数での送信と（例えば６ｄＢだけ）送信電力の上昇の両方を行うための、拡大されたガードバンド内の「余裕」を有する。周波数シフトがチャネルラスタ間隔の整数倍であるため、シフトされた広帯域キャリアは広帯域ＵＥに対いて透過的である。  【選択図】  図２
2019509659.tif 000002
【特許請求の範囲】
【請求項１】
無線通信ネットワークの広帯域キャリアのガードバンド内で狭帯域キャリアを提供する方法（１００）であって、前記広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記方法は、
前記広帯域キャリアのサブキャリア間隔と同一のサブキャリア間隔を有する前記狭帯域キャリアのサブキャリアが前記狭帯域キャリアのラスタ間隔の所定の距離内であるように、拡大されたガードバンドにおける周波数で前記狭帯域キャリアを送信（１０２）することであって、これにより前記狭帯域キャリア送信が前記広帯域キャリア送信と直交する、ことを含み、
前記広帯域キャリアは、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で送信（１０４）される、方法。
【請求項２】
請求項１に記載の方法（１００）であって、前記所定のグリッド間隔は、前記広帯域キャリアの周波数グリッド間隔であり、これにより前記周波数のシフトが、前記広帯域キャリアにアクセスするユーザ装置たるＵＥに対して透過的である、方法。
【請求項３】
請求項２に記載の方法（１００）であって、前記所定の間隔は１００ＫＨｚである、方法。
【請求項４】
請求項１に記載の方法（１００）であって、前記狭帯域キャリアのラスタ間隔からの前記狭帯域サブキャリアの前記所定の距離は、＋／−２．５ＫＨｚ及び＋／−７．５ＫＨｚの一つである、方法。
【請求項５】
請求項１に記載の方法（１００）であって、前記拡大されたガードバンドにおいて前記狭帯域キャリアを送信（１０２）することは、前記拡大されたガードバンドにおける前記狭帯域キャリアを、前記広帯域キャリア上のダウンリンクトラフィックの送信より高い電力で送信することを含む、方法。
【請求項６】
請求項５に記載の方法（１００）であって、前記広帯域キャリア上のダウンリンクトラフィックの前記送信より高い電力で、前記拡大されたガードバンドにおいて前記狭帯域キャリアを送信（１０２）することは、前記拡大されたガードバンドにおいて前記狭帯域キャリアを、前記広帯域キャリア上のダウンリンクトラフィックの前記送信より６ｄＢ高い電力で送信することを含む、方法。
【請求項７】
請求項１に記載の方法（１００）であって、前記無線通信ネットワークは周波数分割複信を使用し、前記方法は更に、
前記広帯域キャリアのサブキャリア間隔と同一のサブキャリア間隔を有する前記狭帯域キャリアのサブキャリアが前記狭帯域キャリアのラスタ間隔の＋／−７．５ＫＨｚ内であるように、拡大されたガードバンドにおける周波数で前記狭帯域キャリアを受信することであって、これにより前記狭帯域キャリア送信が前記広帯域キャリア送信と直交する、ことを含み、
広帯域アップリンクキャリアは、前記広帯域アップリンクキャリアの一方の側のガードバンドを減らして前記広帯域アップリンクキャリアの他の側のガードバンドを拡大するように、より高い又はより低い周波数の方向のいずれかに所定のグリッド間隔の整数倍だけ、割り当てられた周波数帯の中心又は近傍の名目の位置からシフトした、前記割り当てられた周波数帯内の周波数で受信される、方法。
【請求項８】
無線通信システムの広帯域キャリアのガードバンド内に狭帯域キャリアを収容する方法（２００）であって、前記広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記方法は、
前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域キャリアを送信（２０２）することを含み、
前記狭帯域キャリアは、前記広帯域キャリアのサブキャリア間隔と同一のサブキャリア間隔を有する前記狭帯域キャリアのサブキャリアが前記狭帯域キャリアのラスタ間隔の所定の距離内であるように、拡大されたガードバンドにおける周波数で送信（２０４）され、これにより前記狭帯域キャリア送信が前記広帯域キャリア送信と直交する、方法。
【請求項９】
請求項８に記載の方法（２００）であって、前記所定のグリッド間隔は、前記広帯域キャリアの周波数グリッド間隔であり、これにより前記周波数のシフトが、前記広帯域キャリアにアクセスするユーザ装置たるＵＥに対して透過的である、方法。
【請求項１０】
請求項９に記載の方法（２００）であって、前記所定の間隔は１００ＫＨｚである、方法。
【請求項１１】
請求項８に記載の方法（２００）であって、前記狭帯域キャリアのラスタ間隔からの前記狭帯域サブキャリアの前記所定の距離は、＋／−２．５ＫＨｚ及び＋／−７．５ＫＨｚの一つである、方法。
【請求項１２】
請求項８に記載の方法（２００）であって、前記無線通信ネットワークは周波数分割複信を使用し、前記方法は更に、
広帯域アップリンクキャリアの一方の側のガードバンドを減らして前記広帯域アップリンクキャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域アップリンクキャリアを受信することを含み、
前記狭帯域キャリアは、前記広帯域キャリアのサブキャリア間隔と同一のサブキャリア間隔を有する前記狭帯域キャリアのサブキャリアが前記狭帯域キャリアのラスタ間隔の＋／−７．５ＫＨｚ内であるように、拡大されたガードバンドにおける周波数で受信され、これにより前記狭帯域キャリア送信が前記広帯域キャリア送信と直交する、方法。
【請求項１３】
無線通信ネットワークにおいて動作可能な基地局（１０）であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、
送受信機（１８）と、
送受信機（１８）と接続するように動作可能であり、前記送受信機（１８）に、前記広帯域キャリアのサブキャリア間隔と同一のサブキャリア間隔を有する狭帯域キャリアのサブキャリアが前記狭帯域キャリアのラスタ間隔の所定の距離内であるように、拡大されたガードバンドにおける周波数で前記狭帯域キャリアを送信（１０２）させるように動作可能な処理回路（１４）であって、これにより前記狭帯域キャリア送信が前記広帯域キャリア送信と直交する、処理回路と含み、
前記広帯域キャリアは、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で送信（１０４）される、基地局。
【請求項１４】
請求項１３に記載の基地局（１０）であって、前記所定のグリッド間隔は、前記広帯域キャリアの周波数グリッド間隔であり、これにより前記シフトが、前記広帯域キャリアにアクセスするユーザ装置たるＵＥに対して透過的である、基地局。
【請求項１５】
請求項１４に記載の基地局（１０）であって、前記所定の間隔は１００ＫＨｚである、基地局。
【請求項１６】
請求項１３に記載の基地局（１０）であって、前記狭帯域キャリアのラスタ間隔からの前記狭帯域サブキャリアの前記所定の距離は、＋／−２．５ＫＨｚ及び＋／−７．５ＫＨｚの一つである、基地局。
【請求項１７】
請求項１３に記載の基地局（１０）であって、前記処理回路（１４）は、前記拡大されたガードバンドにおける前記狭帯域キャリアを、前記広帯域キャリア上のダウンリンクトラフィックの送信より高い電力で送信することにより、前記拡大されたガードバンドにおいて前記狭帯域キャリアを送信（１０２）するように動作可能である、基地局。
【請求項１８】
請求項１７に記載の基地局（１０）であって、前記広帯域キャリア上のダウンリンクトラフィックの前記送信より高い電力で、前記拡大されたガードバンドにおいて前記狭帯域キャリアを送信（１０２）することは、前記拡大されたガードバンドにおいて前記狭帯域キャリアを、前記広帯域キャリア上のダウンリンクトラフィックの前記送信より６ｄＢ高い電力で送信することを含む、基地局。
【請求項１９】
請求項１３に記載の基地局（１０）であって、前記無線通信ネットワークは、周波数分割複信を使用し、前記処理回路（１４）は更に受信した送信が広帯域アップリンクキャリアトラフィックと直交するように、前記広帯域アップリンクキャリアの拡大されたガードバンド内における周波数で狭帯域キャリアを前記送受信機（１８）に受信させるように動作可能であり、
前記広帯域アップリンクキャリアは、前記広帯域アップリンクキャリアの一方の側のガードバンドを減らして前記広帯域アップリンクキャリアの他の側のガードバンドを拡大するように、より高い又はより低い周波数の方向のいずれかに所定のグリッド間隔の整数倍だけ、割り当てられた周波数帯の中心又は近傍の名目の位置からシフトした、前記割り当てられた周波数帯内の周波数で受信される、基地局。
【請求項２０】
無線通信ネットワークにおいて動作可能な基地局（１０）であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記基地局は、
送受信機（１８）と、
前記送受信機（１８）と動作可能に接続され、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域キャリアを送受信機（１８）に送信（２０２）させるように動作可能である処理回路（１４）とを含み、
狭帯域キャリアは、前記広帯域キャリアのサブキャリア間隔と同一のサブキャリア間隔を有する前記狭帯域キャリアのサブキャリアが前記狭帯域キャリアのラスタ間隔の所定の距離内であるように、拡大されたガードバンドにおける周波数で送信（２０４）され、これにより前記狭帯域キャリア送信が前記広帯域キャリア送信と直交する、基地局。
【請求項２１】
請求項２０に記載の基地局（１０）であって、前記所定のグリッド間隔は、前記広帯域キャリアの周波数グリッド間隔であり、これにより前記シフトが、前記広帯域キャリアにアクセスするユーザ装置（ＵＥ）に対して透過的である、基地局。
【請求項２２】
請求項２１に記載の基地局（１０）であって、前記所定の間隔は１００ＫＨｚである、基地局。
【請求項２３】
請求項２０に記載の基地局（１０）であって、前記狭帯域キャリアのラスタ間隔からの前記狭帯域サブキャリアの前記所定の距離は、＋／−２．５ＫＨｚ及び＋／−７．５ＫＨｚの一つである、基地局。
【請求項２４】
請求項２０に記載の基地局（１０）は、前記無線通信ネットワークは周波数分割複信を使用し、前記処理回路（１４）は更に、広帯域アップリンクキャリアの一方の側のガードバンドを減らして前記広帯域アップリンクキャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域アップリンクキャリアを送受信機（１８）に受信させるように動作可能であり、
前記狭帯域キャリアは、前記広帯域キャリアのサブキャリア間隔と同一のサブキャリア間隔を有する狭帯域キャリアのサブキャリアが前記狭帯域キャリアのラスタ間隔の＋／−７．５ＫＨｚ内であるように、拡大されたガードバンドにおける周波数で受信（２０４）され、これにより前記狭帯域キャリア送信が前記広帯域キャリア送信と直交する、基地局。
【請求項２５】
無線通信ネットワークにおいて動作可能な機器であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、狭帯域キャリアは、前記送信が前記広帯域キャリア送信と直交するように、前記広帯域キャリアの拡大されたガードバンド内における周波数で送信され、前記機器は、
前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域キャリアを送信するように動作可能なモジュール（３８）を含む、機器。
【請求項２６】
無線通信ネットワークにおいて動作可能な機器であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記広帯域キャリアは、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で送信され、前記機器は、
前記広帯域キャリアのサブキャリア間隔と同一のサブキャリア間隔を有する狭帯域キャリアのサブキャリアが前記狭帯域キャリアのラスタ間隔の所定の距離内であるように、拡大されたガードバンドにおける周波数で前記狭帯域キャリアを送信するように動作可能なモジュール（４０）であって、これにより前記狭帯域キャリア送信が前記広帯域キャリア送信と直交する、モジュールを含む、機器。
【発明の詳細な説明】
【技術分野】
【０００１】
本発明は一般に無線通信ネットワークに関し、特に、１つのガードバンドに狭帯域サービスを配置するために、割り当てられた周波数帯の広帯域キャリアの周波数をフリースペクトラムに調整することに関する。
【背景技術】
【０００２】
セルラ通信システムは、現在マシンタイプ通信（ＭＴＣ）のために開発され改良されている。ＭＴＣでは、通信は例えばモバイルブロードバンドよりも、データレートに対する要求が低いことによって特徴付けられている。しかしながら、ＭＴＣは、安価なデバイス設計、優れたカバレッジ、およびバッテリの充電または交換無しにバッテリで数年間動作させることができるような特徴に対して要求がより高い。３ＧＰＰ  ＲＡＮ＃７０会合において、狭帯域インターネット・オブ・シングス（ＮＢ−ＩｏＴ）と呼ばれる新たなワークアイテムが承認された。この目的は、改善された屋内カバレッジ、大量の低スループットデバイスのサポート、低遅延感度、超低デバイスコスト、低デバイス消費電力、及び（最適化された）ネットワークアーキテクチャを解決するセルラ・インターネット・オブ・シングスに対する無線アクセスを特定する一方で、現在のロング・ターム・エボリューション（ＬＴＥ）無線アクセス技術との下位互換性も維持することにある。
【０００３】
ＮＢ−ＩｏＴのために３つの動作モード：スタンドアロン、ガードバンド、及びインバンドが定義されている。スタンドアロンモードでは、ＮＢ−ＩｏＴシステムは専用の周波数帯で動作する。インバンドの動作に対し、ＮＢ−ＩｏＴシステムは、現在のＬＴＥシステムによって使用される周波数帯内に置かれ得る。ガードバンドモードでは、ＮＢ−ＩｏＴシステムは、現在のＬＴＥシステムによって使用されるガードバンド内、すなわち、割り当てられた周波数帯スペクトラムマスク内にある周波数であってＬＴＥキャリアより下又は上の周波数であるが、ＬＴＥキャリアによって使用されていない周波数に置かれ得る。
【０００４】
ＮＢ−ＩｏＴは、ＬＴＥの最小の割当可能帯域幅単位：物理リソースブロック（ＰＲＢ）、これは１スロット（０．５ｍｓｅｃ）単位で１２サブキャリアとして定義される、を使用する。１５ＫＨｚサブキャリア間隔では、ＮＢ−ＩｏＴは１８０ＫＨｚの帯域幅を有する。ＮＢ−ＩｏＴシステムのチャネルラスタは（ＬＴＥのチャネルラスタのように）１００ＫＨｚの周波数グリッドにある。すなわち、ＮＢ−ＩｏＴデバイスは１００ＫＨｚのステップサイズでＮＢ−ＩｏＴキャリアにアクセスを試みる。スタンドアロンのデプロイメントについては、これは良好であり、キャリアを１００ＫＨｚの倍数で配置することができる。インバンドのデプロイメントについては、ＬＴＥキャリアのＰＲＢのいくつかのみがＮＢ−ＩｏＴ送信の候補である−これらは１００ＫＨｚラスタの近辺に降下している。同様に、ガードバンドのデプロイメントでは、ＮＢ−ＩｏＴキャリアは、１００ＫＨｚの倍数に又はその近傍になるように、（周波数において）ＬＴＥキャリアから離れて配置されなければならないだろう。これは、相応に広いガードバンドを有する広帯域ＬＴＥキャリアでは問題とならない。
【０００５】
カバレッジ要件を達成するため、ＮＢ−ＩｏＴ信号の送信電力は、ＬＴＥキャリアの送信電力より、例えば６ｄＢだけ高くなければならない。これは、スタンドアロン及びインバンドのデプロイメントについては良好である。しかしながら、ＮＢ−ＩｏＴガードバンドに対しては、特に低帯域幅ＬＴＥキャリアでは、１００ＫＨｚラスタ間隔の要求はＬＴＥキャリアからはるかに離れたところ−すなわち、割り当てられた周波数帯の縁の近辺−にＮＢ−ＩｏＴキャリアを移動させ得るため、６ｄＢの電力上昇はＮＢ−ＩｏＴキャリアがスペクトラムマスクの厳密な要求を満たさない場合を生じさせる。従って、ガードバンドのデプロイメントは、低帯域幅ＬＴＥキャリアのいくつかでは不可能である。
【０００６】
本書の背景技術セクションは、実施形態の範囲及び有用性を理解する上で当業者を助けるために、本発明の実施形態を技術的及び運用上の文脈に置くために提供される。この背景技術セクションで説明されるアプローチは追及されうるアプローチであって、既に着想され、追及された必要なアプローチではない。明示的にそうであると特定しない限り、この中の記述は背景技術セクション内に含まれることのみによって先行技術として認めたものではない。
【発明の概要】
【０００７】
当業者に基本的な理解を提供するために、以下に本開示の簡略化した概要を示す。この概要は、本開示の外延的な概略ではなく、本発明の実施形態の重要な／決定的な要素を特定すること、または本発明の範囲を説明することを意図するものではない。この概要の１つの目的は、ここに開示されるいくつかのコンセプトを、後に示すより詳細な記載の前置きとして簡略化した形式で示すものである。
【０００８】
ここに記載されクレームされる１以上の実施形態によれば、ＬＴＥキャリアは周波数内を、割り当てられた周波数帯の中で、チャネルラスタ間隔の整数倍（例えば１００ＫＨｚ）だけ、シフトアップ又はシフトダウンされる。これにより、キャリアの一方の側のガードバンドのサイズが低下し、他方の側のガードバンドは拡大する。そして、ＮＢ−ＩｏＴキャリアは、１００ＫＨｚ又はそれに近い間隔で、１５ＫＨｚのサブキャリアを用いて、拡大されたガードバンド内に配置される。従って、ＮＢ−ＩｏＴキャリアは、ＬＴＥキャリアと直行性を維持するが、スペクトルマスク内に留まりつつ、周波数内に適切に位置し、例えば６ｄＢだけ送信電力を上昇させる両方のための、周波数の拡大されたガードバンド内の「余裕（room）」を有する。シフトされたＬＴＥキャリアは、ＬＴＥチャネルラスタ間隔が１００ＫＨｚ間隔でもあるため、ＬＴＥユーザ装置（UE）に対して透過的である。ＦＤＤデプロイメントでは、アップリンクキャリアは同一の方向に同一の量だけシフトされ、従って、重複ギャップを保持する（繰り返すがレガシＬＴＥ動作に対して透過的である）。
【０００９】
１つの実施形態は、無線通信ネットワークの広帯域キャリアのガードバンド内で狭帯域キャリアを提供する方法に関し、広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信される。この方法は、送信が広帯域キャリア送信と直交するように、拡大されたガードバンド内の狭帯域キャリアをある周波数で送信することを含む。広帯域キャリアは、広帯域キャリアの一方の側のガードバンドを減らして広帯域キャリアの他の側のガードバンドを拡大するように、より高い又はより低い周波数の方向のいずれかに所定のグリッド間隔の整数倍だけ、周波数帯の中心又は近傍の名目の位置からシフトした、割り当てられた周波数帯内の周波数で送信される。
【００１０】
他の実施形態は、無線通信システムの広帯域キャリアのガードバンド内で狭帯域キャリアを収容する方法に関し、広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信される。方法は、広帯域キャリアの一方の側のガードバンドを減らして広帯域キャリアの他の側のガードバンドを拡大するように、より高い又はより低い周波数の方向のいずれかに所定のグリッド間隔の整数倍だけ、周波数帯の中心又は近傍の名目の位置からシフトした、割り当てられた周波数帯内の周波数で広帯域キャリアを送信することを含む。狭帯域キャリアは、送信が広帯域キャリア送信と直交するように、拡大されたガードバンド内においてある周波数で送信される。
【００１１】
更なる他の実施形態は、無線通信ネットワークにおいて動作可能な基地局に関し、広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信される。基地局は、送受信機と、送受信機と動作可能に接続される処理回路とを含み、送信が広帯域キャリア送信と直交するように、広帯域キャリアの拡大されたガードバンド内においてある周波数で狭帯域キャリアを送受信機に動作可能に送信させる。広帯域キャリアは、広帯域キャリアの一方の側のガードバンドを減らして広帯域キャリアの他の側のガードバンドを拡大するように、より高い又はより低い周波数の方向のいずれかに所定のグリッド間隔の整数倍だけ、周波数帯の中心又は近傍の名目の位置からシフトした、割り当てられた周波数帯内の周波数で送信される。
【００１２】
更なる他の実施形態は、無線通信ネットワークにおいて動作可能な基地局に関し、広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信される。基地局は、送受信機と、送受信機と動作可能に接続される処理回路とを含み、広帯域キャリアの一方の側のガードバンドを減らして広帯域キャリアの他の側のガードバンドを拡大するように、より高い又はより低い周波数の方向のいずれかに所定のグリッド間隔の整数倍だけ、周波数帯の中心又は近傍の名目の位置からシフトした、割り当てられた周波数帯内の周波数で広帯域キャリアを送受信機に送信させるように動作可能である。狭帯域キャリアは、送信が広帯域キャリア送信と直交するように、広帯域キャリアの拡大されたガードバンド内においてある周波数で送信される。
【００１３】
更なる他の実施形態は、無線通信ネットワークにおいて動作可能な機器に関し、広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信され、狭帯域キャリアは、送信が広帯域キャリア送信と直交するように、広帯域キャリアの拡大されたガードバンド内においてある周波数で送信される。機器は、広帯域キャリアの一方の側のガードバンドを減らして広帯域キャリアの他の側のガードバンドを拡大するように、より高い又はより低い周波数の方向のいずれかに所定のグリッド間隔の整数倍だけ、周波数帯の中心又は近傍の名目の位置からシフトした、割り当てられた周波数帯内の周波数で広帯域キャリアを送信するように動作可能なモジュールを含む。
【００１４】
更なる他の実施形態は、無線通信ネットワークにおいて動作可能な機器に関し、広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信され、広帯域キャリアは、広帯域キャリアの一方の側のガードバンドを減らして広帯域キャリアの他の側のガードバンドを拡大するように、より高い又はより低い周波数の方向のいずれかに所定のグリッド間隔の整数倍だけ、周波数帯の中心又は近傍の名目の位置からシフトした、割り当てられた周波数帯内の周波数で送信させる。機器は、送信が広帯域キャリア送信と直交するように、広帯域キャリアの拡大されたガードバンド内においてある周波数で狭帯域キャリアを送信するように動作可能なモジュールを含む。
【図面の簡単な説明】
【００１５】
本発明は、発明の実施形態が示される添付の図面を参照して、これからより十分に説明される。しかしながら、本発明は、ここに記載される実施形態に限定されるものと解釈されるべきではない。むしろ、これらの実施の形態は、本開示が完全かつ完成したものであり、当業者に本発明の範囲を十分に伝えるように提供される。同様の番号は、全体を通して同様の要素を指す。
【図１】偶数と奇数のシステム帯域幅に対するＬＴＥキャリア周波数オフセットを示す周波数の図
【図２】ＬＴＥ広帯域キャリアのスペクトラムマスクを示す周波数の図
【図３】１００ＫＨｚだけ上下の両方にシフトしたＬＴＥ広帯域キャリアを示す周波数の図
【図４】２００ＫＨｚだけ上下の両方にシフトしたＬＴＥ広帯域キャリアを示す周波数の図
【図５】シフトした広帯域キャリアの拡大ガードバンドにおいて狭帯域キャリアを提供する方法のフローチャート
【図６】拡大ガードバンドに狭帯域キャリアを収容するためのシフトした広帯域キャリアを送信する方法のフローチャート
【図７】基地局の機能ブロック図
【図８】図７の基地局における処理回路内の物理的なユニットの図
【図９】図７の基地局におけるメモリ内のソフトウェアモジュールの図
【図１０】機器の仮想的な機能モジュールアーキテクチャを含むモジュールの図
【発明を実施するための形態】
【００１６】
簡略化及び説明の目的のため、本発明は主に発明の例示的な実施形態を参照することによって説明される。以下の説明において、本発明の完全な理解を提供するために多くの具体的詳細が説明される。しかしながら、それらの具体的詳細への限定が無くても本発明が実施可能であることは当業者にとって直ちに明らかなことであろう。この説明では、本発明を不必要に曖昧にしないために、既知の方法と構成は詳述されない。
【００１７】
上述したように、ＮＢ−ＩｏＴシステムのチャネルラスタは（ＬＴＥのチャネルラスタのように）１００ＫＨｚの周波数グリッドにある。すなわち、ＮＢ−ＩｏＴデバイスは１００ＫＨｚのステップサイズでＮＢ−ＩｏＴキャリアにアクセスを試みる。スタンドアロンのデプロイメントにおいて、キャリアは正確に１００ＫＨｚの倍数で配置され得る。しかしながら、インバンド及びガードバンド動作に対し、セルサーチグリッド上に直接降下するＰＲＢは無い。これは、送信されないＤＣサブキャリアの存在によるものであり、そしてＰＲＢの中心が２つのサブキャリアの間にあることである。
【００１８】
図１は、システム帯域幅における奇数と偶数のＰＲＢの両方の場合に対するＤＣサブキャリアからの周波数オフセットを図示している。偶数の帯域幅の場合、ＤＣキャリアは中心の２つのＰＲＢの間となる。ＤＣサブキャリアから１番目のＰＲＢの周波数オフセットは、１００ＫHｚから±２．５ＫＨｚとなる、±９７．５ＫＨｚ（すなわち６×１５ＫＨｚサブキャリア＋ＤＣサブキャリアの半分）となる。１００ＫＨｚグリッドに近い次のＰＲＢ（図１にてシェーディングで示す）は、５つ離れている（５×１８０ＫＨｚ＝９００ＫＨｚ）が、その実際のＤＣサブキャリアからの周波数オフセットは±９９７．５であり、これも±２．５ＫＨｚオフとなる。実際には、ＤＣサブキャリアに隣接するＰＲＢは、これらのＰＲＢにおけるＬＴＥ制御チャネルとシステム・オーバヘッド・ブロードキャストによってＮＢ−ＩｏＴに対する良い候補ではないことに注意すべきである。奇数の帯域幅の場合、ＤＣキャリアは中心のＰＲＢを分割する。そして、１００ＫＨｚのグリッド間隔に最も近いＰＲＢは、理想的なグリッド間隔からの±７．５ＫＨｚオフセットである、±９０７．５ＫＨｚ（６×１５ＫＨｚ＋５×１８０ＫＨｚ）におけるｎ±５（これもシェーディングされている）である。
【００１９】
ＮＢ−ＩｏＴ受信機では、±２．５ＫＨｚ又は±７．５ＫＨｚのオフセットが同期性能を大きく低下させることなく、デバイスがセルサーチ処理の間に扱うことができるようにアルゴリズムを設計することができる。しかしながら、オフセット値がより大きくなるとより解決が難しくなり、受信機はより大きなオフセットを扱うことができなくなるであろう。従って、ＮＢ−ＩｏＴキャリアは、インバンドとガードバンドの動作のための所定の位置に制約される。以下の表１は、最小周波数オフセットを有するインバンドのデプロイメントのためのＰＲＢインデックス（０から始まる）を図示している（ＤＣサブキャリアの一方の側のみをリストしている）。
【００２０】
【表１】
2019509659.tif 000003
【００２１】
ガードバンドのデプロイメントについては、１０ＭＨｚ又は２０ＭＨｚシステム帯域幅を有するＬＴＥシステムに対して、ＬＴＥキャリアに隣接するＮＢ−ＩｏＴキャリア周波数-すなわち、「次の」１２サブキャリアを占有する-を配置するとともに、１００ＫＨｚ周波数ラスタからの±２．５ＫＨｚオフセットを得ることが可能である。しかしながら、他のＬＴＥシステム帯域幅に対しては、最も隣接したＰＲＢを用いて、１００ＫＨｚラスタに対するオフセットは５２．５ＫＨｚとなる。従って、１００ＫＨｚグリッドに対して同一の±７．５ＫＨｚ内に得るためには、ＮＢ−ＩｏＴは３つのサブキャリアだけＬＴＥキャリアから離れていなければならない。レガシＬＴＥキャリアと同一のＦＦＴグリッドに配置するために、これらの離れたサブキャリアのために１５ＫＨｚのＬＴＥサブキャリア間隔が必要であり、これにより、直交性を維持し干渉を最小化する。以下の表２は、サブキャリアだけＬＴＥキャリアから離れた場合の、隣接するＰＲＢの周波数、１００ＫＨｚグリッドからの周波数オフセット、±７．５ＫＨｚオフセットを得るために必要なサブキャリア間隔の数、及びＰＲＢの周波数を示している（注：１．３ＭＨｚ帯域幅はガードバンドモードとして含まれていない。ＮＢ−ＩｏＴは現時点で実現可能とみなされていない）。
【００２２】
【表２】
2019509659.tif 000004
【００２３】
以下の表３は、ガードバンドモードにおけるＮＢ−ＩｏＴデプロイメントのための可能な中心周波数（ＤＣサブキャリアからのオフセット）を図示しており、必要な場合に含まれる３つサブキャリアを有する。
【００２４】
【表３】
2019509659.tif 000005
【００２５】
チャネルラスタ及び周波数オフセットの問題に対する更なる議論については、ハンガリーのブタペストにおける２０１６年１月１８-２０日のR1-160082, NB-IoT Channel Raster, 3GPP TSG-RAN1 NB-IOT Ad Hoc、及び、ハンガリーのブタペストにおける２０１６年１月１８-２０日のR1-160022, Channel raster design, 3GPP TSG-RAN1 NB-IOT Ad Hocを参照されたい。セルサーチ処理、及び、±２．５ＫＨｚと±７．５ＫＨｚ周波数オフセットを解決する方法についての更なる議論については、ハンガリーのブタペストにおける２０１６年１月１８-２０日のR1-160080, NB-IoT-Synchronization Channel Evaluations, 3GPP TSG-RAN1 NB-IOT Ad Hoc 及び、ハンガリーのブタペストにおける２０１６年１月１８-２０日のR1-160021, Synchronization signal evaluation, 3GPP TSG-RAN1 NB-IOT Ad Hocを参照されたい。
【００２６】
ＮＢ−ＩｏＴシステムのカバレッジ要求を満たすため、ＬＴＥのデータチャネル送信電力の平均と比べると、少なくとも６ｄＢの電力上昇がインバンド及びガードバンドのデプロイメントのために必要となる。ブタペストにおける、R4-77AH-IoT-0118, Reply LS on power boosting in-band and guard-band operation for NB-IoT, 3GPP TSG-RAN4会合 #77 NB-IOT AHを参照。しかしながら、スペクトラムの制約により、この６ｄＢの電力上昇はガイドバンド内の任意の配置において適用できるものではない。より具体的には、上記引用文献で述べられているように、「ガードバンドにおける送信のための上昇の実行可能性は、システム帯域幅、ＮＢ−ＩｏＴとＬＴＥの間の間隔、及び上昇量に依存する。ＮＢ−ＩｏＴがシステムの帯域幅の端の非常に近くでない且つ基地局装置の適切な設計を有する場合、６ｄＢまでの電力上昇は実行可能であろう。」
図２はこの制約を示している。ＬＴＥシステムにおけるガードバンドのサイズはシステムの帯域幅に比例する。１０ＭＨｚの帯域幅を有するＬＴＥシステムについては、ガードバンド内のいくつかの位置、すなわち、ＤＣサブキャリアから±4597.5、4702.5、4807.5及び4897.5 KHz（表３参照）をＮＢ−ＩｏＴキャリアのために用いることができる。更に表３が示すように、より小さい帯域幅を有するシステム、例えば、５ＭＨｚのＬＴＥシステムについては、ガードバンド内のそれぞれの側における１つだけの位置、すなわち、ＤＣサブキャリアから2392.5 KHz又は-2392.5 KHz、をＮＢ−ＩｏＴキャリアのために用いることができる。しかしながら、厳しいＬＴＥスペクトラムマスクの要件を適用した場合、これらの２つの位置は割り当てられた周波数帯の端に非常に近い。図２の上側の図に図示されるように、この場合、ＮＢ−ＩｏＴキャリアは６ｄＢだけ上昇することはできないか、厳密なチャネルフィルタが適用されなければならない。両方の解決法は結果としてＮＢ−ＩｏＴシステムの性能の低下に繋がる。
【００２７】
図２に示す下側の図は、本発明の実施形態に従う一つの解決法を示す。割り当てられた周波数帯域内で、１００ＫＨｚの整数倍だけＬＴＥキャリア全体がシフトされる。これにより、キャリアの一方の側のガードバンドのサイズが低下し、他方の側のガードバンドはサイズは拡大する。このシフト-図２の下の図として図示される-は、いずれの方向であってもよい。このとき拡大されたガードバンドは、スペクトラムマスクの要求に違反することなく６ｄＢだけ送信電力を上昇するように割り当てられた周波数帯域のエッジから十分に離れたまま、１００ＫＨｚの周波数グリッド間隔から±７．５ＫＨｚオフセット内にＮＢ−ＩｏＴキャリアを配置するための更なるオプションを提供する。通常２つの利用可能なガードバンドのうちの１つのみがＮＢ−ＩｏＴシステムデプロイメントのために使用されるため、この解決法はシステム容量に何ら影響を与えない。加えて、ＬＴＥチャネルラスタは１００ＫＨｚでもあるため、このようなシフトはレガシＬＴＥのＵＥに透過的である。
【００２８】
周波数分割複信（ＦＤＤ）システムでは、アップリンクキャリアが同様に、同じ１００ＫＨｚの倍数だけ、同じ方向にシフトされる。その後、拡大されたガードバンドにおいて、ＮＢ−ＩｏＴ受信が１００ＫＨｚの倍数の近傍で行われる。これは二重バンドギャップを維持し、繰り返しになるがこのシフトをレガシ装置に対して透過的にする。この二重キャリア対称性を維持することは更に、結果として、隣接するチャネルエネルギーのより良好な除去に繋がり、そして、より良好なキャリア対干渉（Ｃ／Ｉ）性能を与える。更に、これはまた、ＮＢ−ＩｏＴの帯域エッジでさえも全てのサブキャリアに同じ感度を与えるＵＬ受信機のＲＦフィルタの設計を容易にするので、ＵＬ受信機のRFフィルタの設計を促進する。加えて、これはベースバンド処理も促進する。
【００２９】
本発明の実施形態は、時分割複信（ＴＤＤ）システムにも十分に適用可能である。ＴＤＤシステムでは、アップリンク−ダウンリンク・タイムスロットが動作可能な標準及びプロトコルに従って割り当てられて利用されたまま、動作可能キャリア周波数は、上述のように、ＮＢ−ＩｏＴデプロイメントのための１つのガードバンドを拡大するためにシフトされる。
【００３０】
図３は、５ＭＨｚのＬＴＥキャリアの場合の例を図示しており、ここではＬＴＥキャリアの１００ＫＨｚシフトのみが可能である。上側の図は、割り当てられたスペクトラムマスク内の中心に置かれた従来の５ＭＨｚのＬＴＥキャリアを図示している。真ん中の図は、下側に１００ＫＨｚだけシフトされた５ＭＨｚのＬＴＥキャリアを図示しており、下側の図は、上側に１００ＫＨｚだけシフトされた５ＭＨｚのＬＴＥキャリアを図示している。５ＭＨｚのキャリアの場合は１つの１００ＫＨｚキャリアのシフトに限定されているが、本発明の実施形態は、１００ＫＨｚの倍数でシフトすることが可能な、他のＬＴＥシステムの帯域幅、例えば、１０ＭＨｚ、１５ＭＨｚ及び２０ＭＨｚに拡張することができる。
【００３１】
図４は、２００ＫＨｚだけシフトした１０ＭＨｚのＬＴＥシステム帯域幅を図示している。様々な帯域幅のＬＴＥシステム内における様々な１００ＫＨｚの倍数の他のシフトも勿論可能であり、本開示の教示を受けた当業者にとって容易に成されるであろう。従って、図３及び図４の具体例のみが図示されたが、発明はこれらの例に限定されるものではない。
【００３２】
図５は、無線通信ネットワークの広帯域キャリアのガードバンド内に狭帯域キャリアを提供する方法１００のステップを図示している。広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信される。狭帯域キャリアは、送信が広帯域キャリア送信と直交するように、拡大されたガードバンド内においてある周波数で送信される（ブロック１０２）。広帯域キャリアは、同一の基地局によって又は可能なら他の基地局によって、破線ブロックで示すように、周波数帯の中心又は近傍の名目の位置からシフトした、割り当てられた周波数帯内の周波数で送信される（ブロック１０４）。周波数のシフトは、より高い又はより低い周波数の方向のいずれかに成される。広帯域キャリアは、広帯域キャリアの一方の側のガードバンドを減らして広帯域キャリアの他の側のガードバンドを拡大するように、所定のグリッド間隔の整数倍だけシフトされる。
【００３３】
図６は、無線通信ネットワークの広帯域キャリアのガードバンド内に狭帯域キャリアを収容する方法２００のステップを図示している。広帯域キャリアは、広帯域キャリアの送信されないガードバンドが広帯域キャリアの上又は下の周波数であってスペクトラムマスク内である周波数を占有するように、割り当てられた周波数帯のスペクトラムマスク内で送信される。広帯域キャリアは、周波数帯の中心又は近傍の名目の位置からシフトした、割り当てられた周波数帯内の周波数で送信される（ブロック２０２）。周波数のシフトは、より高い又はより低い周波数の方向のいずれかに成される。広帯域キャリアは、広帯域キャリアの一方の側のガードバンドを減らして広帯域キャリアの他の側のガードバンドを拡大するように、所定のグリッド間隔の整数倍だけシフトされる。狭帯域キャリアは、同一の基地局によって又は可能なら他の基地局によって、破線ブロックで示すように、送信が広帯域キャリア送信と直交するように、拡大されたガードバンドにおいてある周波数で送信される（ブロック２０４）。
【００３４】
図７は、ＬＴＥのような広帯域キャリアとＮＢ−ＩｏＴのような狭帯域キャリアとを配置する無線通信ネットワークにおいて動作可能な基地局を図示している。当業者であれば理解するように、基地局１０は、（セル又はセクタとして知られる）地理的な領域にある１つ以上のユーザ装置（ＵＥ）に無線通信サービスを提供するネットワークノードである。ＬＴＥの基地局１０は、ｅ−ＮｏｄｅＢ或いはｅＮＢと呼ばれるが、本発明はＬＴＥ又はｅＮＢに限定されない。基地局１０は、他のネットワークノードとデータを交換可能な通信回路１２と、処理回路１４と、メモリ１６と、送受信機１８、1つ以上のアンテナ２０等のような、1つ以上のＵＥとエアインタフェースを介して無線通信を行うための無線回路と、を含む。当業者であれば理解するように、そして、図７のアンテナフィードラインにおける継続線によって示されるように、アンテナ２０は、タワーやビル等に設置されるように、ネットワークノード１０から物理的に離れて置かれても良い。メモリ１６は、処理回路１４と別々なものとして図示されているが、当業者は、処理回路１４がキャッシュメモリ或いはレジスタファイルのような内部メモリを有することを理解する。当業者は更に、仮想化技術によって、名目上処理回路１４によって実行されるいくつかの機能は、実際にはおそらく遠隔に置かれた（例えばいわゆる「クラウド」における）他のハードウェアによって実行可能であることを理解する。
【００３５】
本発明の実施形態によれば、実行されると以下に説明されるように基地局１０に以下の１つ又は両方を送信させるソフトウェア２２を、メモリ１６が記憶するように動作可能であり、そして当該ソフトウェアを処理回路１４が実行するように動作可能であり、ソフトウェア２２は、
・広帯域キャリアの一方の側のガードバンドを減らして広帯域キャリアの他の側のガードバンドを拡大するように、割り当てられた周波数帯域の中心の名目上の位置から、所定のグリッド間隔の整数倍だけシフトした広帯域キャリアと、 
・送信が広帯域キャリア送信と直交するように、拡大されたガードバンド内において望ましくはある周波数で送信される狭帯域キャリアと、の１つ又は両方を送信させるように動作可能である。
【００３６】
処理回路１４は、１つ以上のハードウェア実装ステート・マシン（例えば個別論理、ＦＰＧＡ、ＡＳＩＣ等）のような、メモリ１６に機械読出可能なコンピュータプログラムとして記憶された機械命令を実行するように動作可能な1以上のシーケンシャル・ステート・マシン、適切なファームウェアを共に有するプログラム可能ロジック、１つ以上の記憶されたプログラムと、マイクロプロセッサ又はデジタル信号プロセッサ（ＤＳＰ）のような汎用プロセッサ、或いは、これらの任意の組み合わせが含まれる。
【００３７】
メモリ１６は、既知の又は開発されている任意の非一時的機械読出可能なメディアを含んでよく、このメモリは、これに限られないが、磁気メディア（例えばフロッピーディスク、ハードディスクドライブ等）、光学媒体（例えばＣＤ−ＲＯＭ、ＤＶＤ−ＲＯＭ等）、半導体メディア（例えばＳＲＡＭ、ＤＲＡＭ、ＤＤＲＡＭ、ＲＯＭ、ＰＲＯＭ、ＥＰＲＯＭ、フラッシュメモリ、半導体ディスク等）などを含む。
【００３８】
無線回路は、ＩＥＥＥ８０２．ｘｘ、ＣＤＭＡ、ＷＣＤＭＡ、ＧＳＭ、ＵＴＲＡＮ、ＬＴＥ、ＮＲ、ＬＴＥ−Ｍ、ＮＢ−ＩоＴ、ＷｉＭａｘ等のような既知の又は開発され得る１つ以上の通信プロトコルに従って無線アクセスネットワーク（ＲＡＮ）を介して１つ以上の他の送受信機と通信するために用いられる１つ以上の送受信機１８を含んでよい。送受信機１８は、無線アクセスネットワークリンクに適した送信機と受信機の機能を実施する（例えば周波数割り当て等）。送信機と受信機の機能は、回路の構成要素及びソフトウェアの少なくともいずれかを共有してもよく、或いは代替的に別々に実施されてもよい。
【００３９】
通信回路１２は、Ｅｔｈｅｒｎｅｔ、ＴＣＰ／ＩＰ、ＳＯＮＥＴ、ＡＴＭ、ＳＩＰ等のような既知の又は開発され得る１つ以上の通信プロトコルに従って通信ネットワークを介して１つ以上の他のノードと通信するために用いられる受信機又は送信機インタフェースを含んでよい。通信回路１２は、通信ネットワークリンクに適した受信機と送信機の機能を実施する（例えば光、電子的等）。送信機と受信機の機能は、回路の構成要素及びソフトウェアの少なくともいずれかを共有してもよく、或いは代替的に別々に実施されてもよい。
【００４０】
図８は、図７のネットワークノード１０の処理回路のような、例示的な処理回路１４を示している。処理回路１４は１つ以上の物理ユニットを含んでもよい。特に、処理回路１４はシフト済広帯域キャリア送信部３０及び狭帯域キャリア送信部３２の少なくともいずれかを含んでよい。シフト済広帯域キャリア送信部３０は、広帯域キャリアの一方の側のガードバンドを減らして広帯域キャリアの他の側のガードバンドを拡大するように、割り当てられた周波数帯域の中心の名目上の位置から、所定のグリッド間隔の整数倍だけシフトした広帯域キャリアを送信するように構成される。狭帯域キャリア送信部３２は、送信が広帯域キャリア送信と直交するように、拡大されたガードバンド内において好ましくはある周波数で狭帯域キャリアを送信するように構成される。
【００４１】
図９は、図７のネットワークノード１０のメモリ１６内のソフトウェアのような、例示的なソフトウェア２２を示している。ソフトウェア２２は１つ以上のソフトウェアモジュールを含んでもよい。特に、ソフトウェア２２はシフト済広帯域キャリア送信モジュール３４及び狭帯域キャリア送信モジュール３６の少なくともいずれかを含んでよい。シフト済広帯域キャリア送信モジュール３４は、広帯域キャリアの一方の側のガードバンドを減らして広帯域キャリアの他の側のガードバンドを拡大するように、割り当てられた周波数帯域の中心の名目上の位置から、所定のグリッド間隔の整数倍だけシフトした広帯域キャリアを送信するように構成される。狭帯域キャリア送信モジュール３６は、送信が広帯域キャリア送信と直交するように、拡大されたガードバンド内において好ましくはある周波数で狭帯域キャリアを送信するように構成される。
【００４２】
図１０は、シフト済広帯域キャリアの拡大されたガードバンド内で狭帯域キャリアを送信又は収容するように動作可能な機器の仮想機能モジュールのアーキテクチャを含み得る一方又は両方のモジュールを示している。第一のモジュール３８は、広帯域キャリアの一方の側のガードバンドを減らして広帯域キャリアの他の側のガードバンドを拡大するように、割り当てられた周波数帯域の中心の名目上の位置から、所定のグリッド間隔の整数倍だけシフトした広帯域キャリアを送信するように構成される。第二のモジュール４０は、送信が広帯域キャリア送信と直交するように、拡大されたガードバンド内において好ましくはある周波数で狭帯域キャリアを送信するように構成される。
【００４３】
ここではガードバンドモードのＮＢ−ＩｏＴキャリアを配置するＬＴＥシステムのコンテクストで説明したが、本発明の実施形態はこのコンテクストに限定されない。一般に、いずれかの側にガードバンドを有する、割り当てられた周波数帯域に配置される任意の広帯域キャリアは、他の側の犠牲において一方のガードバンドを拡大するために、シフトした周波数で送信されてよい。拡大されたガードバンドにおける狭帯域キャリアの配置−シフトした広帯域キャリアを送信する同一の基地局による、又は他のネットワークノードによる−は、適切な周波数の選択及び許容可能な上昇される送信電力において高い自由度を提供し得る。狭帯域キャリアは好ましくは広帯域キャリアと直交するように、そうでなければ広帯域キャリアとの干渉を最小化するように配置される。
【００４４】
ここで使用される「シフトした」周波数で送信される広帯域キャリアは、第一のインスタンスにおいて、名目上、通常、特定の、又はそうでなければ「予期される」周波数からシフトした周波数において広帯域キャリアが送信されることを意味する。これは、キャリアが送信周波数において「シフト」されたものであるために、キャリアが実際に、第一の周波数で送信され、続いて第二の周波数で送信されることを要求するものではない。
【００４５】
本発明は勿論、本発明の必須の特徴から乖離すること無くここで具体的に記載された方法と異なる方法で実行されてもよい。本実施形態は、全ての側面において説明的且つ非限定的に考慮されるべきであり、添付のクレームの意味及び均等の範囲内でなされる全ての変更は、意図されているものとして受け取られる。
【図１】
2019509659.tif 000006
【図２】
2019509659.tif 000007
【図３】
2019509659.tif 000008
【図４】
2019509659.tif 000009
【図５】
2019509659.tif 000010
【図６】
2019509659.tif 000011
【図７】
2019509659.tif 000012
【図８】
2019509659.tif 000013
【図９】
2019509659.tif 000014
【図１０】
2019509659.tif 000015
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
無線通信ネットワークの広帯域キャリアのガードバンド内で狭帯域キャリアを提供する方法（１００）であって、前記広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記方法は、
前記広帯域キャリアのサブキャリア間隔と同一のサブキャリア間隔を有する前記狭帯域キャリアのサブキャリアが前記狭帯域キャリアのラスタ間隔の所定の距離内であるように、拡大されたガードバンドにおける周波数で前記狭帯域キャリアを送信（１０２）することであって、これにより前記狭帯域キャリア送信が前記広帯域キャリア送信と直交する、ことを含み、
前記広帯域キャリアは、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で送信（１０４）される、方法。
【請求項２】
請求項１に記載の方法（１００）であって、前記所定のグリッド間隔は、前記広帯域キャリアの周波数グリッド間隔であり、これにより前記周波数のシフトが、前記広帯域キャリアにアクセスするユーザ装置たるＵＥに対して透過的である、方法。
【請求項３】
請求項２に記載の方法（１００）であって、前記所定の間隔は１００ＫＨｚである、方法。
【請求項４】
請求項１に記載の方法（１００）であって、前記狭帯域キャリアのラスタ間隔からの前記狭帯域サブキャリアの前記所定の距離は、＋／−２．５ＫＨｚ及び＋／−７．５ＫＨｚの一つである、方法。
【請求項５】
請求項１に記載の方法（１００）であって、前記拡大されたガードバンドにおいて前記狭帯域キャリアを送信（１０２）することは、前記拡大されたガードバンドにおける前記狭帯域キャリアを、前記広帯域キャリア上のダウンリンクトラフィックの送信より高い電力で送信することを含む、方法。
【請求項６】
請求項５に記載の方法（１００）であって、前記広帯域キャリア上のダウンリンクトラフィックの前記送信より高い電力で、前記拡大されたガードバンドにおいて前記狭帯域キャリアを送信（１０２）することは、前記拡大されたガードバンドにおいて前記狭帯域キャリアを、前記広帯域キャリア上のダウンリンクトラフィックの前記送信より６ｄＢ高い電力で送信することを含む、方法。
【請求項７】
請求項１に記載の方法（１００）であって、前記無線通信ネットワークは周波数分割複信を使用し、前記方法は更に、
前記広帯域キャリアのサブキャリア間隔と同一のサブキャリア間隔を有する前記狭帯域キャリアのサブキャリアが前記狭帯域キャリアのラスタ間隔の＋／−７．５ＫＨｚ内であるように、拡大されたガードバンドにおける周波数で前記狭帯域キャリアを受信することであって、これにより前記狭帯域キャリア送信が前記広帯域キャリア送信と直交する、ことを含み、
広帯域アップリンクキャリアは、前記広帯域アップリンクキャリアの一方の側のガードバンドを減らして前記広帯域アップリンクキャリアの他の側のガードバンドを拡大するように、より高い又はより低い周波数の方向のいずれかに所定のグリッド間隔の整数倍だけ、割り当てられた周波数帯の中心又は近傍の名目の位置からシフトした、前記割り当てられた周波数帯内の周波数で受信される、方法。
【請求項８】
無線通信システムの広帯域キャリアのガードバンド内に狭帯域キャリアを収容する方法（２００）であって、前記広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記方法は、
前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域キャリアを送信（２０２）することを含み、
前記狭帯域キャリアは、前記広帯域キャリアのサブキャリア間隔と同一のサブキャリア間隔を有する前記狭帯域キャリアのサブキャリアが前記狭帯域キャリアのラスタ間隔の所定の距離内であるように、拡大されたガードバンドにおける周波数で送信（２０４）され、これにより前記狭帯域キャリア送信が前記広帯域キャリア送信と直交する、方法。
【請求項９】
請求項８に記載の方法（２００）であって、前記所定のグリッド間隔は、前記広帯域キャリアの周波数グリッド間隔であり、これにより前記周波数のシフトが、前記広帯域キャリアにアクセスするユーザ装置たるＵＥに対して透過的である、方法。
【請求項１０】
請求項９に記載の方法（２００）であって、前記所定の間隔は１００ＫＨｚである、方法。
【請求項１１】
請求項８に記載の方法（２００）であって、前記狭帯域キャリアのラスタ間隔からの前記狭帯域サブキャリアの前記所定の距離は、＋／−２．５ＫＨｚ及び＋／−７．５ＫＨｚの一つである、方法。
【請求項１２】
請求項８に記載の方法（２００）であって、前記無線通信ネットワークは周波数分割複信を使用し、前記方法は更に、
広帯域アップリンクキャリアの一方の側のガードバンドを減らして前記広帯域アップリンクキャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域アップリンクキャリアを受信することを含み、
前記狭帯域キャリアは、前記広帯域キャリアのサブキャリア間隔と同一のサブキャリア間隔を有する前記狭帯域キャリアのサブキャリアが前記狭帯域キャリアのラスタ間隔の＋／−７．５ＫＨｚ内であるように、拡大されたガードバンドにおける周波数で受信され、これにより前記狭帯域キャリア送信が前記広帯域キャリア送信と直交する、方法。
【請求項１３】
無線通信ネットワークにおいて動作可能な基地局（１０）であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、
送受信機（１８）と、
送受信機（１８）と接続するように動作可能であり、前記送受信機（１８）に、前記広帯域キャリアのサブキャリア間隔と同一のサブキャリア間隔を有する狭帯域キャリアのサブキャリアが前記狭帯域キャリアのラスタ間隔の所定の距離内であるように、拡大されたガードバンドにおける周波数で前記狭帯域キャリアを送信（１０２）させるように動作可能な処理回路（１４）であって、これにより前記狭帯域キャリア送信が前記広帯域キャリア送信と直交する、処理回路と含み、
前記広帯域キャリアは、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で送信（１０４）される、基地局。
【請求項１４】
請求項１３に記載の基地局（１０）であって、前記所定のグリッド間隔は、前記広帯域キャリアの周波数グリッド間隔であり、これにより前記シフトが、前記広帯域キャリアにアクセスするユーザ装置たるＵＥに対して透過的である、基地局。
【請求項１５】
請求項１４に記載の基地局（１０）であって、前記所定の間隔は１００ＫＨｚである、基地局。
【請求項１６】
請求項１３に記載の基地局（１０）であって、前記狭帯域キャリアのラスタ間隔からの前記狭帯域サブキャリアの前記所定の距離は、＋／−２．５ＫＨｚ及び＋／−７．５ＫＨｚの一つである、基地局。
【請求項１７】
請求項１３に記載の基地局（１０）であって、前記処理回路（１４）は、前記拡大されたガードバンドにおける前記狭帯域キャリアを、前記広帯域キャリア上のダウンリンクトラフィックの送信より高い電力で送信することにより、前記拡大されたガードバンドにおいて前記狭帯域キャリアを送信（１０２）するように動作可能である、基地局。
【請求項１８】
請求項１７に記載の基地局（１０）であって、前記広帯域キャリア上のダウンリンクトラフィックの前記送信より高い電力で、前記拡大されたガードバンドにおいて前記狭帯域キャリアを送信（１０２）することは、前記拡大されたガードバンドにおいて前記狭帯域キャリアを、前記広帯域キャリア上のダウンリンクトラフィックの前記送信より６ｄＢ高い電力で送信することを含む、基地局。
【請求項１９】
請求項１３に記載の基地局（１０）であって、前記無線通信ネットワークは、周波数分割複信を使用し、前記処理回路（１４）は更に受信した送信が広帯域アップリンクキャリアトラフィックと直交するように、前記広帯域アップリンクキャリアの拡大されたガードバンド内における周波数で狭帯域キャリアを前記送受信機（１８）に受信させるように動作可能であり、
前記広帯域アップリンクキャリアは、前記広帯域アップリンクキャリアの一方の側のガードバンドを減らして前記広帯域アップリンクキャリアの他の側のガードバンドを拡大するように、より高い又はより低い周波数の方向のいずれかに所定のグリッド間隔の整数倍だけ、割り当てられた周波数帯の中心又は近傍の名目の位置からシフトした、前記割り当てられた周波数帯内の周波数で受信される、基地局。
【請求項２０】
無線通信ネットワークにおいて動作可能な基地局（１０）であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記基地局は、
送受信機（１８）と、
前記送受信機（１８）と動作可能に接続され、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域キャリアを送受信機（１８）に送信（２０２）させるように動作可能である処理回路（１４）とを含み、
狭帯域キャリアは、前記広帯域キャリアのサブキャリア間隔と同一のサブキャリア間隔を有する前記狭帯域キャリアのサブキャリアが前記狭帯域キャリアのラスタ間隔の所定の距離内であるように、拡大されたガードバンドにおける周波数で送信（２０４）され、これにより前記狭帯域キャリア送信が前記広帯域キャリア送信と直交する、基地局。
【請求項２１】
無線通信ネットワークにおいて動作可能な機器であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、狭帯域キャリアは、前記送信が前記広帯域キャリア送信と直交するように、前記広帯域キャリアの拡大されたガードバンド内における周波数で送信され、前記機器は、
前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で前記広帯域キャリアを送信するように動作可能なモジュール（３８）を含む、機器。
【請求項２２】
無線通信ネットワークにおいて動作可能な機器であって、広帯域キャリアは、前記広帯域キャリアの送信されないガードバンドが前記広帯域キャリアの上又は下の周波数であってスペクトラムマスク内である周波数を占有するように、割り当てられた周波数帯の前記スペクトラムマスク内で送信され、前記広帯域キャリアは、前記広帯域キャリアの一方の側のガードバンドを減らして前記広帯域キャリアの他の側のガードバンドを拡大するように、より高い又はより低い周波数の方向のいずれかに所定のグリッド間隔の整数倍だけ、前記割り当てられた周波数帯の中心又は近傍の名目の位置からシフトした、前記割り当てられた周波数帯内の周波数で送信され、前記機器は、
前記広帯域キャリアのサブキャリア間隔と同一のサブキャリア間隔を有する狭帯域キャリアのサブキャリアが前記狭帯域キャリアのラスタ間隔の所定の距離内であるように、拡大されたガードバンドにおける周波数で前記狭帯域キャリアを送信するように動作可能なモジュール（４０）であって、これにより前記狭帯域キャリア送信が前記広帯域キャリア送信と直交する、モジュールを含む、機器。
【国際調査報告】
2019509659.tif 000016
2019509659.tif 000017
2019509659.tif 000018
2019509659.tif 000019